(57)【要約】【課題】手の屈伸と側屈を行う各関節に対する手袋甲側からの圧迫感が生じないスポーツ用手袋を提供する。【解決手段】スポーツ用手袋１は、甲側部２と、掌側部と、親指袋部４と、人指し指袋部５と、中指袋部６と、薬指袋部７と、小指袋部８を備え、甲側部２の下部に、手袋装着者の橈骨手根関節と、手根中央関節とを、被覆しないように、手挿入部を兼ねる切り欠き部９を設け、装着ベルト１０は橈骨手根関節と手根中央関節を被覆しないように、装着ベルト１０の基端を掌側部の小指袋部８側端に固定し、装着ベルト１０の先端部を甲側部２に係脱可能に係止する。【選択図】    図１
0003228607.tif 000002
【実用新案登録請求の範囲】
【請求項１】
甲側部と、掌側部と、親指袋部と、人指し指袋部と、中指袋部と、薬指袋部と、小指袋部を備え、
前記甲側部の下部に、手袋装着者の橈骨手根関節と、手根中央関節とを、被覆しないように、手挿入部を兼ねる切り欠き部を設け、
装着ベルトは前記橈骨手根関節と前記手根中央関節を被覆しないように、前記装着ベルトの基端を掌側部の前記小指袋部側端に固定し、前記装着ベルトの先端部を前記甲側部に係脱可能に係止してなるスポーツ用手袋。
【請求項２】
前記掌側部の下端を手袋装着者の前記橈骨手根関節よりも前記手根中央関節側に位置するよう設定してなる前記請求項１に記載のスポーツ用手袋。
【請求項３】
前記装着ベルトの基端を、その下端は、掌側部の下端縁と一致して固定し、その上端は、掌側部と甲側部との固定部分に固定してなる前記請求項１または前記請求項２に記載のスポーツ用手袋。
【考案の詳細な説明】
【技術分野】
【０００１】
本考案は、ゴルフや野球などのスポーツ用の手袋に関する。
【背景技術】
【０００２】
従来のこの種手袋では、甲側にスリットを形成して手を挿入する開口部を設けるとともに、この開口部を閉じる装着ベルトを設け、装着ベルトを所定位置に係止することで使用者の手首を締め付けて、手首の過剰な動きを防いでいる。ところが、一般的な装着ベルトでは、前記スリットで二分された甲側の一方を他方に向けて引っ張るようにして係止するので、手及び手首の甲側が圧迫される。このため手袋装着者は、手の屈伸、側屈時に違和感を生じ、手首の微妙な動作、例えばゴルフにおけるコック、をうまく行うことができないという欠点を有している。
【０００３】
ここで、手の屈伸、側屈動作に関与する関節について簡単に説明する。図５に示す、橈骨ａの遠位端と手根骨の近位列ｂとの間で形成する橈骨手根関節ｃと、手根骨の近位列ｂと手根骨の遠位列ｄとの間で形成する手根中央関節ｅとが手の屈伸動作及び側屈動作に関与する関節である。図中ｆは尺骨である。前記橈骨手根関節ｃが主として手の屈伸、側屈動作を可能にし、前記手根中央関節ｅは前記橈骨手根関節ｃと協同して手の屈伸、側屈動作を可能にする。手根骨は、舟状骨、月状骨、三角骨、豆状骨、大菱形骨、小菱形骨、有頭骨、有鈎骨の８個の骨からなり、手の５本の中手骨と前腕の前記橈骨及び尺骨の間に位置する。前記舟状骨、前記月状骨、前記三角骨が手根骨近位列ｂを構成し、前記大菱形骨、前記小菱形骨、前記有頭骨、前記有鈎骨が手根骨遠位列ｄを構成する。したがって、手首の微妙な動作を円滑に行うには、前記二つの関節である橈骨手根関節ｃと手根中央関節ｅに対して、手の甲側から圧迫感を与えないことが重要である。
【０００４】
従来において、上述の欠点を解消するものとして、手袋の甲側下端に手首の一部が露出する山型切り欠き部を形成し、掌側下縁に沿って逢着したゴムバンドを前記山型切り欠き部に沿って斜め上方に向けて逢着し、前記山型切り欠き部の頂部から指方向に向けてスリットを設け、このスリットの一側縁に装着ベルトの一端を固定し、装着ベルトの他端は、前記スリットの他端側に面ファスナーを用いて係脱可能に係止した構成が提案されている（特許文献１）。
【先行技術文献】
【特許文献】
【０００５】
【特許文献１】実公昭５３−１７８９２号公報
【考案の概要】
【考案が解決しようとする課題】
【０００６】
しかしながら、上記提案されたゴルフ用手袋は、山型切り欠き部の頂部から指方向に向けてスリットを設け、このスリットの一側縁に装着ベルトの一端を固定し、装着ベルトの他端は、前記スリットの他端側に着脱自在に固着しているので、前記スリットの存在により、山型切り欠き部の面積を広くすることができない。このため、装着者の手首の露出が十分ではなく、橈骨手根関節は被覆されないが、手根中央関節は被覆状態にあるので、手首の甲側に対する圧迫感は多少改善されるものの、手の屈伸、側屈時に生じる違和感は依然として解消されないという不都合を有している。本考案は、この不都合を解消した、スポーツ用手袋を提供することを目的とする。
【課題を解決するための手段】
【０００７】
この目的を達成するため、本考案の請求項１に係るスポーツ用手袋の構成は、甲側部と、掌側部と、親指袋部と、人指し指袋部と、中指袋部と、薬指袋部と、小指袋部を備え、前記甲側部の下部に、手袋装着者の橈骨手根関節と、手根中央関節とを、被覆しないように、手挿入部を兼ねる切り欠き部を設け、装着ベルトは前記橈骨手根関節と前記手根中央関節を被覆しないように、前記装着ベルトの基端を掌側部の前記小指袋部側端に固定し、前記装着ベルトの先端部を前記甲側部に係脱可能に係止したものである。
【０００８】
このように構成すると、橈骨手根関節と、この橈骨手根関節と協同して手の屈伸と側屈を行う手根中央関節とが、甲側部と装着ベルトで被覆されないので、前記両関節に対する手袋甲側からの圧迫感は生じない。
【０００９】
また、上記目的を達成するため本考案の請求項２に係るスポーツ用手袋の構成は、上述の構成において、掌側部の下端を手袋装着者の橈骨手根関節よりも手根中央関節側に位置するよう設定したものである。この構成によると、手袋を装着した時に手の甲側と掌側とにおいて、橈骨手根関節部分、すなわち手首が露出するので、手首に対する圧迫感がまったくない。
【００１０】
さらに、上記目的を達成するため本考案の請求項３に係るスポーツ用手袋の構成は、上述の請求項１または請求項２のスポーツ用手袋の構成において、装着ベルトの基端を、その下端は、掌側部の下端縁と一致して固定し、その上端は、掌側部と甲側部との固定部分に固定したものである。この構成によると、前記装着ベルトの締め付け力が効率よく掌側部に作用する。
【考案の効果】
【００１１】
本考案に係るスポーツ用手袋によれば、請求項１に係る構成では、橈骨手根関節と、この橈骨手根関節と協同して手の屈伸と側屈を行う手根中央関節に対する手袋甲側からの圧迫感は生じないので、手の屈伸、側屈時に違和感を生じることがなく、手首のコックなどの動作を容易かつ確実になし得る、という効果を奏する。また、請求項２に係る構成によると、手袋を装着した時に手の甲側と掌側とにおいて、橈骨手根関節が露出するので、手首に対する圧迫感がまったくないため、前記効果が一層向上する。さらに、請求項３に係る構成によると、装着ベルトの確実な締め付け力を確保しながら、前記各効果を奏し得るという効果を奏する。
【図面の簡単な説明】
【００１２】
【図１】本考案をゴルフ用手袋に適用した場合の一実施形態における装着状態時の手の甲側を示す斜視図。
【図２】同じく掌側を示す斜視図。
【図３】同じく装着ベルトを開放した状態の手の甲側を示す斜視図。
【図４】同じく非装着状態における小指袋側を示す斜視図。
【図５】橈骨手根関節と手根中央関節を概略的に示す模式図。
【考案を実施するための形態】
【００１３】
以下、本考案の好適な一実施形態を添付図面に基づいて説明する。図１及び図２に示すように、ゴルフ用手袋１は、手袋装着者の手の甲に対応する甲側部２と、同じく手の掌に対応する掌側部３と、同じく親指を挿入する親指袋部４と、同じく人指し指を挿入する人指し指袋部５と、同じく中指を挿入する中指袋部６と、同じく薬指を挿入する薬指袋部７と、同じく小指を挿入する小指袋部８を備えている。前記各部２〜８は、伸縮性素材、例えば天然皮革、人工皮革、合成皮革からなると好適である。
【００１４】
図１及び図３に示すように、甲側部２の下部に、手袋装着者の橈骨手根関節ｃ、すなわち橈骨ａと手根骨近位列ｂとの間で形成する関節（図５参照）と、手根中央関節ｅ、すなわち手根骨近位列ｂと同遠位列ｄとの間で形成する関節（図５参照）とを、被覆しないように、手挿入部を兼ねる切り欠き部９を設けている。この切り欠き部９は、ほぼ三角形状で、その上端縁を、前記甲側部２の親指袋部４側端から小指袋部８側端に向けて斜め上方にほぼ直線的に伸びるよう形成することで、手袋装着者の前記橈骨手根関節ｃと前記手根中央関節ｅを、前記甲側部２によって被覆しないようにしている。
【００１５】
図１及び図３に示すように、装着ベルト１０の基端は、上端部を除いて掌側部３のみに対応し、上端部は掌側部３と甲側部２とに対応している。図３及び図４に示すように、前記装着ベルト１０の基端は、その下端を掌側部３の小指袋部８側端の下端と一致させて、前記掌側部３と前記甲側部２とに対応する上端部を除いて前記掌側部３に逢着して固定している。また、前記基端の上端部は、前記掌側部３と前記甲側部２との逢着部分に逢着して固定している。
【００１６】
一方、図３に示すように、装着ベルト１０の先端部の裏面側には公知の面ファスナー１１ａが設けられ、甲側部２には前記面ファスナー１１ａと相対的に雌雄をなす公知の面ファスナー１１ｂが設けられている。図１に示すように、前記装着ベルト１０は、前記各面ファスナー１１ａ，１１ｂによってその先端部が前記甲側部２に係脱可能に係止される。そして、前記装着ベルト１０は、図１に示す係止状態において、手袋装着者の橈骨手根関節ｃと手根中央関節ｅを被覆しないように形成されている。すなわち、装着ベルト１０は、切り欠き部９の親指袋部４側ほぼ半分を被覆しないものである。
【００１７】
このように構成されたゴルフ用手袋１は、装着する時には図３に示すように、装着ベルト１０を非係止状態として、手挿入部である切り欠き部９全体を露出して開放し、手を挿入後には前記装着ベルト１０を、先端部裏面側の面ファスナー１１ａを甲側部２の面ファスナー１１ｂに係止して、図１に示すように装着するものである。
【００１８】
ゴルフ用手袋１は、この装着状態において、甲側では装着ベルト１０も含めて、手袋装着者の橈骨手根関節ｃと手根中央関節ｅとを被覆しない状態にある。したがって、前記ゴルフ用手袋１では、手の屈伸と側屈を行う前記各関節ｃ，ｅに対する手袋甲側からの圧迫感は生じないので、手の屈伸、側屈時に違和感を生じることがなく、手首のコックなどの動作を容易かつ確実になし得る。
【００１９】
なお、本考案は上述の実施形態に限定されるものではなく、例えば、甲側部２と各指袋部４〜８の一部のみに、伸縮性素材であるメッシュ材やニット材を使用することもできる。また、切り欠き部９の形状は三角形状に限定されず、その上端縁を直線状ではなく曲線状に伸びるよう形成してもよい。さらに、装着ベルト１０は、その下縁を基端から先端に向けて曲線状に伸びるよう形成してもよい。要するに、切り欠き部９と装着ベルト１０は、形状のいかんにかかわらず、手袋装着者の橈骨手根関節ｃと手根中央関節ｅとを被覆しないように形成すればよいものである。また、前記装着ベルト１０における基端の下端は、常に掌側部３の下端縁と一致して固定する必要はない。またさらに、ゴルフ用手袋以外に、野球用やモータースポーツ用等の手の屈伸、側屈動作が重要視される手袋に適用することができる。
【符号の説明】
【００２０】
１      ゴルフ用手袋
２      甲側部
３      掌側部
４      親指袋部
５      人指し指袋部
６      中指袋部
７      薬指袋部
８      小指袋部
９      切り欠き部
１０      装着ベルト
１１ａ，１１ｂ      面ファスナー
【図１】
0003228607.tif 000003
【図２】
0003228607.tif 000004
【図３】
0003228607.tif 000005
【図４】
0003228607.tif 000006
【図５】
0003228607.tif 000007